(57)【要約】【課題】  直に土や草に触れずに、ごく小さな草から強固に根差した草まで根元を挟んでより効率的に草を抜き取ることのできる草取り器を提供する。【解決手段】  先端部にくちばし状挟持部材３０を有して他端に把持部２０を形成する草取り器１であって、くちばし状挟持部材３０を本体２に対して出入り可能に構成するとともに開閉可能に構成し、くちばし状挟持部材３０が本体２から突出したときはくちばし状挟持部材２０が閉じ、後退したときは開くようにし、常時は本体２内に介在したスプリング５の付勢力によりくちばし状挟持部材３０が本体２から突出するようにした。【選択図】図１
2008017817.tif 000002
【特許請求の範囲】
【請求項１】
先端部にくちばし状挟持部材を有して他端に把持部を形成する草取り器であって、
前記くちばし状挟持部材を草取り器本体に対して出入り可能に構成するとともに開閉可能に構成し、
前記くちばし状挟持部材が草取り器本体から突出したときは該くちばし状挟持部材が閉じ、
前記くちばし状挟持部材が後退したときは開くようにし、
常時は草取り器本体内に介在したスプリングの付勢力により前記くちばし状挟持部材が草取り器本体から突出していることを特徴とする、草取り器。
【請求項２】
請求項１に記載する草取り器において、
くちばし状挟持部材の相対向する内側に鋸歯状のギザギザ歯を設けたことを特徴とする、草取り器。
【発明の詳細な説明】
【技術分野】
【０００１】  本発明は、庭や公園、道等の地面に生えた雑草を除去するための草取り器に関する。
【背景技術】
【０００２】  従来、庭や公園、道等の地面に生えた雑草を除去するために、鎌を用いて雑草を刈り取ったり、手でむしり取ったりしていた。
あるいは手動で操作しながら開閉自在のアーム先端部によって雑草の茎をつかみ、そのまま雑草を引き抜く雑草引き抜き器（特許文献１）や、所定の幅に開口した挟み部を雑草の生えている土中に差し込み、土中の茎や根を挟んで引き抜くようにした鋏型草抜き装置（特許文献２）がある。
【特許文献１】特開２０００−４１４０１号公報
【発明の開示】
特開２００１−３４６４０１号公報
【発明が解決しようとする課題】
【０００３】  しかしながら、雑草を刈り取っただけでは根が残るので、短期間で再び雑草が生えてきて刈り取り作業を頻繁に行わなければならず、また手でむしり取ったり、引き抜くのでは手を酷使する上に爪の間に土が入り、汚れを落とすのに苦労する。
また特許文献１に示す雑草引き抜き器は、雑草の茎をつかんで引き抜くものであるため、根が土中に残る場合があり、再び雑草が生えてくる。
さらに特許文献２に示す鋏型草抜き装置は、土中に差し込む操作と茎や根を挟む操作を別々に行うもので、余り効率的ではない。
【０００４】  本発明は、上記の問題点を解決しようとしてなされたもので、その目的とするところは、直に土や草に触れずに、ごく小さな草から強固に根差した草まで根元を挟んでより効率的に草を抜き取ることのできる草取り器を提供することにある。
【課題を解決するための手段】
【０００５】  上記のような目的を達成するために、本発明の草取り器は、先端部にくちばし状挟持部材を有して他端に把持部を形成する草取り器であって、前記くちばし状挟持部材を草取り器本体に対して出入り可能に構成するとともに開閉可能に構成し、前記くちばし状挟持部材が草取り器本体から突出したときは該くちばし状挟持部材が閉じ、前記くちばし状挟持部材が後退したときは開くようにし、常時は草取り器本体内に介在したスプリングの付勢力により前記くちばし状挟持部材が草取り器本体から突出していることを特徴とするものである。
またくちばし状挟持部材の相対向する内側に鋸歯状のギザギザ歯を設けたことを特徴とするものである。
【０００６】  上記の草取り器によれば、くちばし状挟持部材は出入り可能に構成されているので、くちばし状挟持部材を土中に差し込むときの抵抗でくちばし状挟持部材が後退しながら開いて雑草の茎や根を取り込み、そのまま引くことでスプリングの付勢力でくちばし状挟持部材が突出しながら閉じて茎や根を挟んだまま雑草を引き抜くことができる。
スプリングの付勢力を調整することによって、ごく小さな雑草から強固に根差した雑草まで根元を挟んで効率よくかつ確実に引き抜くことができる。
【発明の効果】
【０００７】  本発明の草取り器によれば、次のような効果を得ることができる。
＜イ＞雑草の根に向けて草取り器を土中へ差し込んだり、引いたりするだけの簡単な操作で雑草を引き抜くことができるので、作業性が極めて向上する。
＜ロ＞雑草の根に向けて草取り器を土中へ差し込んだり、引いたりするだけで雑草を引き抜くことができ、土や草に触れることがないので手を汚さない。
＜ハ＞くちばし状挟持部材はギザギザ歯となっているので、大きめな雑草もしくは地中深く根を張っているような草でも、ギザギザ歯でしっかりと挟んで効率よくかつ確実に引き抜くことができる。
＜ニ＞スプリングの付勢力を調整することによって、ごく小さな雑草から強固に根差した雑草まで根元を挟んで効率よくかつ確実に引き抜くことができる。
【発明を実施するための最良の形態】
【０００８】  以下、図面を参照しながら、本発明に係る実施の形態について説明する。【０００９】＜イ＞草取り器
草取り器１は、図１に示すように先端部にくちばし状挟持部材３０を有して、他端に把持部２０を形成したものである。
把持部２０は、手で握りやすいように波状の凹凸を形成してある。
くちばし状挟持部材３０は本体２の開口部２５から突出しており、後述するように開閉可能に構成され、茎や根を挟むことができるようになっている。
くちばし状挟持部材３０は、その相対向する内側の所定範囲に鋸歯状のギザギザ歯３１を刻んであり、茎や根をしっかりと挟むことができる。
くちばし状挟持部材３０は土中へ差し込んだり、茎や根を挟むためにステンレス鋼など錆びない金属で構成するのがよく、また先端３２は土中へ差し込みやすいように尖らせるのがよい。
草取り器１の内部には、くちばし状挟持部材３０を開閉する開閉機構、及びくちばし状挟持部材３０を出入りさせる出入り機構が設けられている。【００１０】＜ロ＞内部構造（図２、図３、図４）
本体２の中央長手方向に案内軸２１が貫通しており、この案内軸２１は図示していないがビスなどにより本体２に固定されている。
案内軸２１には、Ｔ字形の摺動板４が摺動可能に設けられている。
即ち、Ｔ字形の摺動板４の前後端に二股状の受部４２が立設しており（図４）、この受部４２がそれぞれ案内軸２１に係合して摺動板４が案内軸２１に沿って前後に摺動可能となっている。
案内軸２１の一端にはネジ部２２が設けられ、このネジ部２２にナット２３が螺合している。
５は案内軸２１に巻装されたスプリングであり、摺動板４の一方の受部４２とナット２３との間に介在され、このスプリング５によって摺動板４は前進する方向（くちばし状挟持部材３０が突出する方向）に付勢されている。
ナット２３をネジ部２２にねじ込んだり戻したりすることによって、スプリング５の付勢力を調整することができる（図２，３は、最もねじ込んだ状態を示す）。
４３は摺動板４の下側に取り付けられ、本体２から突出している作動軸である。【００１１】  また本体２には、一端にくちばし状挟持部材３０を形成した一対のアーム３，３が回動可能に設けられている。
即ち、アーム３の略中間部と摺動板４の拡幅部４１にそれぞれ孔３４、４１ａをあけ、この孔３４、４１ａにピン６を挿通してアーム３を摺動板４に取り付けるとともに、アーム３はピン６を支点に回動可能となっている（図２、図４）。
一対のアーム３には、くちばし状挟持部材３０とは反対側の一端にローラ３３を取り付けてあり、このローラ３３は、図２に示すように本体２の内側に形成されたハの字形（把持部２０に向けて間隔が狭まるように形成）の一対のガイド溝２４にそれぞれ嵌合している。
このためローラ３３がガイド溝２４に案内されることで、一対のアーム３はピン６を支点にして回動し、くちばし状挟持部材３０は開閉することになる。【００１２】  草取り器１は以上のように構成されているので、例えばスプリング５を圧縮して摺動板４が案内軸２１に沿って後退するとこれと一緒にアーム３も後退し、ローラ３３がガイド溝２４に案内されてアーム３はピン６を中心に回動し、先端のくちばし状挟持部材３０が開く。
これとは反対にスプリング５の付勢力によって摺動板４が前進するとこれと一緒にアーム３も前進し、ローラ３３がガイド溝２４に案内されてアーム３はピン６を中心に前記と逆方向へ回動し、先端のくちばし状挟持部材３０が閉じる。
したがってアーム３、ピン６、ガイド溝２４、ローラ３３は、くちばし状挟持部材３０の開閉機構を構成し、アーム３、摺動板４、スプリング５、ピン６、ナット２３は、くちばし状挟持部材３０の出入り機構を構成する。【００１３】＜ハ＞雑草の除去作業
図５を参照して、本発明の草取り器１で雑草を除去する作業について説明する。
先ず把持部２０を握って、草取り器１を雑草７の根７１に向けて矢印のごとく土７３へ差し込む（図５（Ａ））。
土７３へ差し込むまでは、くちばし状挟持部材３０はスプリング５の付勢力で突出しており、ギザギザ歯３１は閉じている。【００１４】  次いでくちばし状挟持部材３０を土中７３に差し込むと、土の抵抗でくちばし状挟持部材３０が後退しようとする。
このため、くちばし状挟持部材３０と一体のアーム３を介して、摺動板４がスプリング５の付勢力に抗して後退する。
一方、ローラ３３がガイド溝２４に案内されるので、アーム３がピン６を支点にして回動し、くちばし状挟持部材３０が開く。
くちばし状挟持部材３０は、土中７３に差し込めば差し込むほど開き、ギザギザ歯３１の間に茎７０や根７１を取り込むことができる（図５（Ｂ））。【００１５】  その状態で草取り器１を土７３の中から引き出せば、くちばし状挟持部材３０は土７３の抵抗がなくなるので、スプリング５の付勢力で摺動板４、アーム３を介して前進し、ギザギザ歯３１を閉じる。
このため、ギザギザ歯３１が茎７０や根７１をしっかりと挟んで、雑草７を根こそぎ引き抜くことができる（図５（Ｃ））。
草取り器１を土７３の中から引けば引くほどギザギザ歯３１の挟む力が強くなり、雑草７を確実に引き抜くことができる。
雑草７を引き抜いたら、本体２から突出している作動軸４３を手で前後に動かして、くちばし状挟持部材３０を開閉させてギザギザ歯３１で挟んでいる雑草７や土７３などをふるい落とす。【００１６】  このように本発明の草取り器１によれば、雑草７の根７１に向けて土中７３へ差し込んだり、引いたりするだけの簡単な操作で雑草７を引き抜くことができるので、作業性が極めて向上するとともに、土７３や草７に触れることがないので手を汚さない。
スプリング５の付勢力を調整することによって、ごく小さな雑草から強固に根差した雑草まで根元を挟んで効率よくかつ確実に引き抜くことができる。
【図面の簡単な説明】
【００１７】
【図１】草取り器の斜視図。
【図２】草取り器を断面した平面図。
【図３】草取り器を断面した側面図。
【図４】草取り器の内部の一部を示す分解斜視図。
【図５】草取りの状況を説明する説明図。
【符号の説明】
【００１８】１・・・・草取り器
２・・・・本体
２１・・・案内軸
２３・・・ナット
２４・・・ガイド溝
３・・・・アーム
３０・・・くちばし状挟持部材
３１・・・ギザギザ歯
３３・・・ローラ
４・・・・摺動板
４３・・・作動軸
５・・・・スプリング
６・・・・ピン
７・・・・雑草
７０・・・茎
７１・・・根
７３・・・土
【図１】
2008017817.tif 000003
【図２】
2008017817.tif 000004
【図３】
2008017817.tif 000005
【図４】
2008017817.tif 000006
【図５】
2008017817.tif 000007